(57)【要約】【課題】透明樹脂シートの貼り付けで形成された光ディスクの透明保護層中に光学軸の方位を有する複屈折が発生し、光ディスク装置での光ディスクの回転に伴って複屈折の光学軸方位が回転することによって検出信号強度が大きく変動する現象が起こり、再生信号が劣化するなどの問題があった。【解決手段】光学的に読み出すことのできる情報が記録された、若しくは、情報を光学的に記録しこれを光学的に読み出すことのできる光ディスクであって、情報記録面を有する基板１と、情報記録面上に積層された複数の透明樹脂シートからなる透明保護層を備える。【選択図】図１
2006318520.tif 000002
【特許請求の範囲】
【請求項１】
情報が記録された、若しくは、情報を記録することのできる光ディスクであって、情報記録面と、前記情報記録面上に積層された複数の透明樹脂シートを備えることを特徴とする光ディスク。
【請求項２】
前記透明樹脂シートのそれぞれは略同じ厚さであることを特徴とする請求項１記載の光ディスク。
【請求項３】
前記光ディスクはｎ層の前記透明樹脂シートを備え、前記透明樹脂シートの複屈折の光学軸の方位がπ／ｎ異なるように配置して積層されたことを特徴とする請求項１及び２記載の光ディスク。
【請求項４】
前記光ディスクはｎ層の前記透明樹脂シートを備え、前記透明樹脂シートを前記情報記録面上にπ／ｎ異なる方向に配置し、圧着して積層されたことを特徴とする請求項１〜３の何れかに記載の光ディスク。
【請求項５】
ｎ層の前記透明樹脂シートの厚さが略０．１ｍｍであることを特徴とする請求項１〜４の何れかに記載の光ディスク。
【発明の詳細な説明】
【技術分野】
【０００１】
本発明は、情報の高密度記録を可能とした透明保護シートを備える光ディスクに関するものである。
【背景技術】
【０００２】
光ディスクは情報信号を示すピットなどが形成された基板及び情報信号を保護する透明保護層等からなり、光ディスク装置は光ディスクの透明保護層を介して情報信号に光を照射し、戻り光を検出することによって情報信号を記録及び／または再生する。
【０００３】
従来、光ディスクに対する光の照射に用いる対物レンズの開口数は、ＤＶＤ（Digital Versatile Disc）等に於いて０．６程度とされている。
【０００４】
近年、さらなる高記録密度化に対応するために、対物レンズの開口数を０．７以上と大きくすることによって、照射光のスポット径の小径化を図る技術が提案されている。
【０００５】
対物レンズの開口数を大きくすると、透明保護層による収差や複屈折の影響を受け易くなり、照射光のスポット径を小さく維持する為の光ディスク面の傾き許容量が小さくなるため、光ディスクの透明保護層を薄くする必要が生じる。例えば、ＤＶＤ等では透明保護層は０．６ｍｍ程度の厚さの透明樹脂を射出成型した基板で構成されているが、射出成形法ではこれ以上の薄さに成型することは困難であるため、０．７以上の大きな開口数とした光ディスク装置に対しては、０．１ｍｍ程度の厚さの樹脂からなる透明保護シートを、接着剤を用いたローラー圧着により基板表面に貼り付けることで透明保護層を形成する技術が用いられている。
【特許文献１】特開２００４−１０３１４１号公報
【発明の開示】
【発明が解決しようとする課題】
【０００６】
しかし、透明樹脂シートを製造する際の剪断力によって生じる分子配向や、透明樹脂シートを光ディスク表面に圧着して貼り付ける際に加わる張力等によって透明保護層中に光学軸の方位を有する複屈折が発生し、光ディスク装置での光ディスクの回転に伴って複屈折の光学軸方位が回転することによって検出信号強度が大きく変動する現象が起こり、再生信号が劣化するなどの問題があった。
【０００７】
図４は本発明を用いない光ディスク及び光ディスク装置を示す概略図である。図中、１は光ディスクの基板を、２は記録情報が形成された情報面を、１０は透明樹脂シートをそれぞれ示している。透明樹脂シート１０は０．１ｍｍの厚さであり、透明保護層を構成する。１１は透明樹脂シートの光学軸方位を示す。
【０００８】
図５は従来の光ディスクの再生信号を示す概略図である。図中、横軸は光ディスクの回転量で１回転分を、縦軸は再生信号電圧をそれぞれ示す。再生信号は光ディスクの回転に伴う透明保護層の複屈折の光学軸方位に依存して大きく変動する現象を起す。
【課題を解決するための手段】
【０００９】
上記目的を達成するために、本発明のうち第１の態様に係るものは、光学的に読み出すことのできる情報が記録された、若しくは、情報を光学的に記録しこれを光学的に読み出すことのできる光ディスクであって、情報記録面を有する基板と、情報記録面上に積層された複数の透明樹脂シートからなる透明保護層を備えることを特徴とするものである。
【００１０】
また、透明保護層は略同じ厚さの複数の透明樹脂シートの積層で構成とすると、透明樹脂シートの複屈折の方向性を相殺することが容易になる。
【００１１】
また、透明保護層がｎ層の前記透明樹脂シートから構成され、透明樹脂シートの複屈折の光学軸方位がπ／ｎ異なるように配置して積層すると、透明樹脂シートの複屈折が効果的に相殺される。
【００１２】
また、透明保護層がｎ層の透明樹脂シートから構成され、透明樹脂シートを情報記録面上にπ／ｎ異なる方向に配置し、圧着して積層することで複屈折の方向性を持たない光ディスクが実現できる。
【発明の効果】
【００１３】
本発明の第１の態様に係る光ディスクによれば、透明保護層の複屈折の光学軸方位が一方向へ偏ることを防ぐことができるので、高記録密度でかつ安定した再生信号が得られる光ディスクが可能となる。
【発明を実施するための最良の形態】
【００１４】
（実施の形態１）
図１は本発明による光ディスクの一例を示す概略図である。図中、１は光ディスクの基板を、２は記録情報が形成された情報面を、３は０．０５ｍｍの厚さの第一の透明樹脂シートを、４は０．０５ｍｍの厚さの第二の透明樹脂シートをそれぞれ示している。第一の透明樹脂シート３と第二の透明樹脂シート４は積層されて０．１ｍｍの厚さの透明保護層を構成する。５は第一の透明樹脂シートの光学軸方位を、６は第二の透明樹脂シートの光学軸方位をそれぞれ示す。
【００１５】
図２は本発明による光ディスクの一例を示す概略図である。図２においてロールから供給される第一の透明樹脂シート３はロールから引き出されて光ディスクの基板１の情報面２に重ねられる。第一の透明樹脂シート３は図示しないローラで加圧圧着されて情報面２の上に保護層を形成する。この保護層の厚さは所定の厚さの半分である。その後、別のロールから供給される第二の透明樹脂シート４がロールから引き出されて、第一の透明樹脂シート３を形成した方向とシート方向がπ／２回転した方向で光ディスクの第一の透明樹脂シート３による保護層の上に重ねられ、図示しないローラで加圧圧着されて保護層を形成する。この保護層の厚さは所望の厚さの半分であり、保護層の全厚さは所定の厚さとなる。その後、光ディスクの外周に沿ってシートを切断する。これにより、２枚の透明樹脂シート３及び４をπ／２回転した方向に貼り付けて積層しており、この後、透明樹脂シートを光ディスク内径形状及び外形形状に沿って切り抜くことにより透明保護層を構成する。２枚の透明樹脂シートの材料及び圧着の方向性に伴う複屈折の光学軸方位をπ／２回転することができる。
【００１６】
このように構成した透明保護層によれば、透明樹脂シートの複屈折に起因して再生信号がディスク１回転に対し２周期で変動する現象を低減できる。
【００１７】
図３は光ディスクの動作を示す概略図である。図中、７は光ディスクを回転するモーターを、８は光ピックアップを、９は対物レンズをそれぞれ示している。光ディスク装置は光ピックアップ８の対物レンズ９により透明保護層を通して情報面２に光を照射して、モーター７により回転させた光ディスクに情報の記録及び／または再生を行う。光ピックアップ８からは所定の偏光方向を持つ光ビームが光ディスクの透明な保護層を通して情報面２の信号に照射され、反射した光は再び光ピックアップ８へ戻り、図示しない光検出器で電気信号として情報を読み取る。光ディスクが回転すると、光ピックアップに対する保護層の相対的な方向が回転するが、従来の一方向に複屈折の光学軸方位を持つ保護層では、光ビームの偏光方向との関係により、光ピックアップの光検出器へ戻る光束の光強度が変動する現象を引き起こすのに対し、本発明の光ディスクは複屈折の光学軸方位が分散されているので光強度の変動が少なく、安定した信号の再生が可能となる。
【００１８】
なお、本実施の形態では光ディスクの保護層を略同じ厚さの２枚の透明樹脂シートをπ／２の方向で貼り付けることで形成したが、更に透明樹脂シート数を増加し、厚さの薄い透明樹脂シートとして貼り付け方向を分散して所定の保護層厚さになるようにしてもよい。この場合は更に光ディスク回転による信号の変動を均一化して一定にすることができる。
【産業上の利用可能性】
【００１９】
本発明の光ディスクによれば、小型の装置によっても高容量の情報を高密度に記録再生が可能となるので、産業上有用である。
【図面の簡単な説明】
【００２０】
【図１】本発明による光ディスクを示す概略図
【図２】本発明による光ディスクを示す概略図
【図３】光ディスクの動作を示す概略図
【図４】本発明を用いない光ディスク及び光ディスク装置を示す概略図
【図５】従来の光ディスクの再生信号を示す概略図
【符号の説明】
【００２１】
１    基板
２    情報面
３    第一の透明樹脂シート
４    第二の透明樹脂シート
５    第一の透明樹脂シートの光学軸方位
６    第二の透明樹脂シートの光学軸方位
７    モーター
８    光ピックアップ
９    対物レンズ
１０    透明樹脂シート
１１    透明樹脂シートの光学軸方位
【図１】
2006318520.tif 000003
【図２】
2006318520.tif 000004
【図３】
2006318520.tif 000005
【図４】
2006318520.tif 000006
【図５】
2006318520.tif 000007